(57)【特許請求の範囲】
【請求項１】
両側堤部の内側面に凹部又は凸部が形成された合成樹脂製の溝部材と、該凹部又は凸部に対応する凸部又は凹部が両側縁部に形成された合成樹脂製の蓋部材とからなり、溝部材の両側堤部の凹部又は凸部に蓋部材の両側縁部の対応する凸部又は凹部が嵌合されて、溝部材の上部開口が蓋部材で覆われたドレン排水材において、
上記蓋部材の両側縁部間の天板部分が、蓋部材の長さ方向全長に亘る軟質樹脂部と硬質もしくは半硬質樹脂部とで形成されており、蓋部材を軟質樹脂部で山形に変形させて、溝部材に取付け可能又は溝部材から取外し可能にしたことを特徴とするドレン排水材。
【請求項２】
一方の側堤部の内側面に凹部又は凸部が形成された合成樹脂製の溝部材と、該凹部又は凸部に対応する凸部又は凹部が一方の側縁部に形成された合成樹脂製の蓋部材とからなり、溝部材の他方の側堤部と蓋部材の他方の側縁部がヒンジ部を介して連結一体化されると共に、溝部材の一方の側堤部の凹部又は凸部に蓋部材の一方の側縁部の対応する凸部又は凹部が嵌合されて、溝部材の上部開口が蓋部材で覆われたドレン排水材において、
上記蓋部材の両側縁部間の天板部分が、蓋部材の長さ方向全長に亘る軟質樹脂部と硬質もしくは半硬質樹脂部とで形成されており、蓋部材を軟質樹脂部で山形に変形させて、溝部材に取付け可能又は溝部材から取外し可能にしたことを特徴とするドレン排水材。
【請求項３】
上記軟質樹脂部が蓋部材の幅方向中央部に位置して蓋部材の長さ方向全長に亘って設けられており、この軟質樹脂部の両側に接合して上記硬質もしくは半硬質樹脂部が蓋部材の長さ方向全長に亘って設けられていることを特徴とする請求項１又は請求項２に記載のドレン排水材。
【請求項４】
上記蓋部材の上記硬質もしくは半硬質樹脂部の裏面に、硬質もしくは半硬質樹脂からなる支持脚が突設されていることを特徴とする請求項１ないし請求項３のいずれかに記載のドレン排水材。
【請求項５】
上記支持脚の下端部と嵌合又は係合して該下端部の移動を阻止する凹状部又は凸状部が溝部材の内底面に設けられていることを特徴とする請求項４に記載のドレン排水材。
【発明の詳細な説明】
【技術分野】
【０００１】
本発明は、合成樹脂製の溝部材と合成樹脂製の蓋部材とからなるドレン排水材に関し、特に、溝部材に蓋部材を取付けた状態や蓋部材が閉じた状態では、蓋部材が簡単に外れたり開いたりすることがないにも拘わらず、溝部材に対する蓋部材の取付け・取外し作業や開閉作業を容易に行うことができるように工夫したドレン排水材に関する。
【背景技術】
【０００２】
マンション等の集合住宅においては、溝部材と蓋部材とからなるドレン排水材を共通廊下やベランダの床面に設け、室内や空調機等から引き出したドレンホースをドレン排水材に接続して、空調機等から出るドレン水をドレン排水材を通じて排水している。
【０００３】
上記のように共通廊下の床面に設けるドレン排水材として、本出願人は、帯状貼着板の幅方向の略中央に長手方向の浅溝のドレン排水路を形成し、かつ、該ドレン排水路に曲面形状の小流量用排水路を長手方向に少なくとも一本形成した合成樹脂製のドレン排水溝材と、ドレン排水路の上部を覆蓋する蓋体とを具備したものを提案した（特許文献１）。
【０００４】
このドレン排水材は、ドレン排水路に小流量用排水路が形成されているため、ドレン水が少量でも小流量用排水路を円滑に流れて排水でき、ゴミが溜まらずカビ等の発生を防止できるという効果を奏するものである。
【特許文献１】特開２００３−２６２０３５号公報
【発明の開示】
【発明が解決しようとする課題】
【０００５】
しかしながら、上記特許文献１のドレン排水材は、蓋体の裏面に形成された左右の凸部を、ドレン排水溝材の左右の凸縁部の上面に形成された凹部に上方から嵌合して、蓋体をドレン排水溝材に取付けているため、蓋体に上向きの力が作用すると、蓋体裏面の凸部がドレン排水溝材の凸縁部上面の凹部から抜けて蓋体がすぐに外れてしまうという問題があった。
【０００６】
かかる問題は、ドレン排水溝材の左右の凸縁部の内側面に凹部を形成すると共に、蓋体の左右の外側面に凸部を形成して、該凸部と上記凹部を横方向に嵌合させると、該凸部が上方に抜け出せなくなって蓋体が外れなくなるので、一応は解決できる。しかしながら、このようにすると、ドレン排水溝材の上記凹部に蓋体の上記凸部を上方から嵌合させて蓋体を上方からドレン排水溝材に取付けることが不可能となり、ドレン排水溝材の長さ方向一端より蓋体をドレン排水溝材のドレン排水路に挿入しながら、蓋体の上記凸部をドレン排水溝材の上記凹部に嵌合させて、蓋体をドレン排水溝材に取付けなければならないため、蓋体の取付け作業が面倒になるという問題があった。同様に、蓋体をドレン排水溝材から取外す場合も、ドレン排水溝材の長さ方向一端から蓋体を引き抜かなければならないため、蓋体の取外し作業が面倒になるという問題があった。
【０００７】
本発明は上記事情の下になされたもので、その解決しようとする課題は、溝部材に蓋部材を取付けた状態や蓋部材が閉じた状態では、蓋部材が簡単に外れたり開いたりすることがないにも拘わらず、溝部材に対する蓋部材の取付け・取外し作業や開閉作業を容易に行うことができるドレン排水材を提供することにある。
【課題を解決するための手段】
【０００８】
上記課題を解決するため、本発明に係るドレン排水材は、両側堤部の内側面に凹部又は凸部が形成された合成樹脂製の溝部材と、該凹部又は凸部に対応する凸部又は凹部が両側縁部に形成された合成樹脂製の蓋部材とからなり、溝部材の両側堤部の凹部又は凸部に蓋部材の両側縁部の対応する凸部又は凹部が嵌合されて、溝部材の上部開口が蓋部材で覆われたドレン排水材において、上記蓋部材の両側縁部間の天板部分が、蓋部材の長さ方向全長に亘る軟質樹脂部と硬質もしくは半硬質樹脂部とで形成されており、蓋部材を軟質樹脂部で山形に変形させて、溝部材に取付け可能又は溝部材から取外し可能にしたことを特徴とするものである。
【０００９】
そして、本発明に係るもう一つのドレン排水材は、一方の側堤部の内側面に凹部又は凸部が形成された合成樹脂製の溝部材と、該凹部又は凸部に対応する凸部又は凹部が一方の側縁部に形成された合成樹脂製の蓋部材とからなり、溝部材の他方の側堤部と蓋部材の他方の側縁部がヒンジ部を介して連結一体化されると共に、溝部材の一方の側堤部の凹部又は凸部に蓋部材の一方の側縁部の対応する凸部又は凹部が嵌合されて、溝部材の上部開口が蓋部材で覆われたドレン排水材において、上記蓋部材の両側縁部間の天板部分が、蓋部材の長さ方向全長に亘る軟質樹脂部と硬質もしくは半硬質樹脂部とで形成されており、蓋部材を軟質樹脂部で山形に変形させて、溝部材に取付け可能又は溝部材から取外し可能にしたことを特徴とするものである。
【００１０】
前者のドレン排水材及び後者のドレン排水材のいずれにおいても、上記軟質樹脂部が蓋部材の幅方向中央部に位置して蓋部材の長さ方向全長に亘って設けられ、この軟質樹脂部の両側に接合して上記硬質もしくは半硬質樹脂部が蓋部材の長さ方向全長に亘って設けられていることが好ましい。そして、いずれのドレン排水材においても、蓋部材の上記硬質もしくは半硬質樹脂部の裏面に、硬質もしくは半硬質樹脂からなる支持脚が突設されていること、この支持脚の下端部と嵌合又は係合して該下端部の移動を阻止する凹状部又は凸状部が溝部材の内底面に設けられていることが好ましい。
【発明の効果】
【００１１】
前者のドレン排水材は、蓋部材を変形させないで上方から溝部材の上部開口に嵌め込んで取付けようとしても、溝部材の両側堤部の内側面に形成された凹部又は凸部に蓋部材の両側縁部の対応する凸部又は凹部を嵌合させることができないため、蓋部材を溝部材に外れないように取付けることはできない。けれども、蓋部材を軟質樹脂部で山形に変形させて蓋部材の幅寸法を縮小したまま、溝部材の上部開口に上方から嵌め込み、蓋部材の形状を復元させて幅寸法を元の幅寸法に戻すと、溝部材の両側堤部の内側面に形成された凹部又は凸部に蓋部材の両側縁部の対応する凸部又は凹部が横方向に嵌合されるので、蓋部材を溝部材に簡単に取付けて溝部材の上部開口を蓋部材で覆うことができる。このように溝部材に取付けた蓋部材によって溝部材の上部開口が覆われた状態では、溝部材の両側堤部の内側面に形成された凹部又は凸部に蓋部材の両側縁部の対応する凸部又は凹部が横方向に嵌合して上下方向に移動できないため、蓋部材に上向きの力が作用しても蓋部材が溝部材から簡単に外れることはない。そして、溝部材を掃除する場合など、蓋部材を取外す必要が生じたときには、蓋部材を軟質樹脂部で山形に変形させて蓋部材の幅寸法を縮小するだけで、蓋部材の両側縁部の凸部又は凹部が溝部材の両側堤部の凹部又は凸部から抜け出すため、蓋部材を引き上げて溝部材から簡単に取外すことができる。
【００１２】
また、後者のドレン排水材は、蓋部材を変形させることなくヒンジ部で蓋部材を下向きに回動させて溝部材の上部開口を閉じようとしても、溝部材の一方の側堤部の内側面に形成された凹部又は凸部に蓋部材の一方の側縁部の対応する凸部又は凹部を嵌合させることができないため、蓋部材を開かないように閉じて溝部材の上部開口を覆うことはできない。けれども、蓋部材を軟質樹脂部で山形に変形させて蓋部材の幅寸法を縮小したまま、ヒンジ部で蓋部材を下向きに回動させて溝部材の上部開口に嵌め込み、蓋部材の形状を復元させて幅寸法を元の幅寸法に戻すと、溝部材の一方の側堤部の内側面に形成された凹部又は凸部に蓋部材の一方の側縁部の対応する凸部又は凹部が横方向に嵌合されるので、蓋部材を開かないように簡単に閉じて溝部材の上部開口を覆うことができる。このように蓋部材によって溝部材の上部開口が閉じられた状態では、溝部材の一方の側堤部の内側面に形成された凹部又は凸部に蓋部材の一方の側縁部の対応する凸部又は凹部が横方向に嵌合して上下方向に移動できないため、蓋部材に上向きの力が作用しても蓋部材が他方のヒンジ部で上向きに回動して簡単に開くことはない。そして、蓋部材を開く必要が生じた場合には、蓋部材を軟質樹脂部で山形に変形させて蓋部材の幅寸法を縮小するだけで、蓋部材の一方の側縁部の凸部又は凹部が溝部材の一方の側堤部の凹部又は凸部から抜け出すため、蓋部材を他方のヒンジ部で上向きに回動させて簡単に開けることができる。
【００１３】
上記軟質樹脂部が蓋部材の幅方向中央部に位置して蓋部材の長さ方向全長に亘って設けられ、この軟質樹脂部の両側に接合して上記硬質もしくは半硬質樹脂部が蓋部材の長さ方向全長に亘って設けられていると、蓋部材を軟質樹脂部で略二等辺の三角山形に屈曲変形させて溝部材の上部開口に嵌め込んだり取り出したりすることができるので、蓋部材の取付け・取外し作業が一層し易くなり、軟質樹脂部による蓋部材の強度低下も極力抑えることができる。そして、蓋部材の硬質もしくは半硬質樹脂部の裏面に、硬質もしくは半硬質樹脂からなる支持脚が突設されていると、蓋部材の耐荷重強度が高められ、蓋部材の上に人の体重やその他の荷重がかかっても、蓋部材の破壊を防止することができる。特に、支持脚の下端部と嵌合又は係合して該下端部の移動を阻止する凹状部又は凸状部が溝部材の内底面に設けられていると、蓋部材に大きい荷重が作用したときに支持脚の下端部が溝部材の内底面を横滑りして支持脚が上端の付け根部分で折れるのを確実に防止できるので、蓋部材の破壊防止効果が更に向上することになる。
【発明を実施するための最良の形態】
【００１４】
以下、図面を参照して本発明の具体的な実施形態を詳述する。
【００１５】
図１は本発明の一実施形態に係るドレン排水材の分解部分斜視図、図２の（ａ）は同ドレン排水材の蓋部材を三角山形に変形させて溝部材の上部開口に嵌め込んだところを示す横断面図、図２の（ｂ）は蓋部材を溝部材の上部開口に取付けた同ドレン排水材の横断面図、図３は同ドレン排水材の一使用例を示す斜視図、図４は同使用例に採用されたドレンホース接続具の断面図である。
【００１６】
このドレン排水材は、図１，図２に示すように、長尺の合成樹脂製の溝部材１と長尺の合成樹脂製の蓋部材２とから成る。
【００１７】
溝部材１は、帯状の底板部１ａの左右の側辺沿いに左右の側堤部１ｂ，１ｂを溝部材の長さ方向全長に亘って形成し、底板部１ａと左右の側堤部１ｂ，１ｂとで囲まれる空間をドレン排水路１ｃ［図２の（ａ）を参照］としたものである。左右の側堤部１ｂ，１ｂの外側面１ｄ，１ｄは、歩行者が躓きにくいように、また、台車などの車輪が乗り越えやすいように、傾斜角が３０°〜４５°程度の比較的緩やかな傾斜面に形成されている。
【００１８】
左右の側堤部１ｂ，１ｂの内側面１ｅ，１ｅの下部には、凹部１ｆ，１ｆが溝部材１の長さ方向全長に亘って形成されており、これらの凹部１ｆ，１ｆには、後述する蓋部材２の凸部２ｂ，２ｂが嵌合されるようになっている。そして、側堤部１ｂ，１ｂの内側面１ｅ，１ｅは、蓋部材２の側縁部２ａ，２ａのアールを付けた外側面に対応する凹曲面に形成されており、図２の（ｂ）に示すように蓋部材２を溝部材１に取付けた状態では、側縁部２ａ，２ａが側堤部１ｂ，１ｂの内側面１ｅ，１ｅに隙間なく当接するようになっている。
【００１９】
この溝部材１の内底面、つまり底板部１ａの側堤部１ｂ，１ｂ相互間の上面には、細くて浅い小溝１ｇが溝部材１の長さ方向全長に亘って平行に複数条形成されており、ドレン水が少量でもこれらの小溝１ｇをスムーズに流れて排水できるようになっている。また、この溝部材１の内底面には、後述する蓋部材２の支持脚２ｅ，２ｅの下端部を嵌合させて横方向の移動を阻止する凹状部１ｈ，１ｈが溝部材１の長さ方向全長に亘って形成されている。
【００２０】
上記の溝部材１は、後述する蓋部材２の硬質もしくは半硬質樹脂部２ｄと同じ硬質もしくは半硬質樹脂で押出成形されたものであり、巻き取った状態で保管、輸送できる利点を有している。
【００２１】
一方、蓋部材２の左右の側縁部２ａ，２ａの下部には、溝部材１の前記凹部１ｆ，１ｆに対応合致する凸部２ｂ，２ｂが蓋部材２の長さ方向全長に亘って外向きに形成されており、図２の（ｂ）に示すように、この凸部２ｂ，２ｂを溝部材１の前記凹部１ｆ，１ｆに横向き（外向き）に嵌合させると、蓋部材２が外れないように溝部材１に取付けられて、溝部材１の側堤部１ｂ，１ｂ相互間の上部開口（ドレン排水路１ｃの上部開口）が蓋部材２で覆われるようになっている。この凸部２ｂ，２ｂの先端の角部と、前記凹部１ｆ，１ｆの入口の角部には、小さなアールが形成されており、凸部２ｂ，２ｂと凹部１ｆ，１ｆの嵌合が円滑に行われるようになっている。
【００２２】
蓋部材２の左右の側縁部２ａ，２ａ間の天板部分は、軟質樹脂部２ｃと硬質もしくは半硬質樹脂部２ｄからなるものであって、軟質樹脂部２ｃは蓋部材２の幅方向中央部に位置して蓋部材２の長さ方向全長に亘って細帯状に設けられており、硬質もしくは半硬質樹脂部２ｄは軟質樹脂部２ｃの両側に接合して蓋部材２の長さ方向全長に亘って設けられている。そのため、この蓋部材２は図２の（ａ）に示すように、軟質樹脂部２ｃで略二等辺の三角山形に屈曲変形が可能となっている。
【００２３】
軟質樹脂部２ｃの幅は、蓋部材２の天板部分の大幅な強度低下を防止する観点から、該天板部分の幅の１／２以下とすることが好ましく、また、天板部分の良好な屈曲変形性を付与する観点から、天板部分の厚みの２倍以上とすることが好ましい。後述するように、蓋部材２の天板部分の幅は４０〜５０ｍｍ程度に設定され、厚みは１〜５ｍｍ程度に設定されるので、軟質樹脂部２ｃの好ましい幅は２〜２５ｍｍ程度、更に好ましい幅は３〜１５ｍｍ程度である。
【００２４】
上記の軟質樹脂部２ｃは、変形や屈曲が容易であり、成形が可能で形状を保持できる程度の柔軟性を備えた熱可塑性樹脂、好ましくは、ＪＩＳ  Ｋ  ６２５３に基づくショアＡ硬度が８５〜１０、更に好ましくは、７５（７５は含まない）〜３０である熱可塑性樹脂からなるものであり、具体的には、可塑剤の配合量、樹脂の分子量、共重合比などを種々変更して上記のショア硬度を有するように調整したポリ塩化ビニル、ポリ酢酸ビニルなどのビニル系樹脂、ポリエチレン、ポリプロピレンなどのオレフィン系樹脂、エチレン−酢酸ビニル共重合樹脂などの共重合樹脂、これらの混合樹脂などで形成されている。これらの中では、軟質の塩化ビニル樹脂が特に好ましく使用される。
【００２５】
一方、硬質もしくは半硬質樹脂部２ｄは、蓋部材２の天板部分を前記の厚みに設定したときに巻き取ることができる程度の硬さを備えた熱可塑性樹脂、好ましくは、ＪＩＳ  Ｋ  ６２５３に基づくショアＡ硬度が９５〜７５である熱可塑性樹脂からなるものであり、具体的には、可塑剤の配合量、樹脂の分子量、共重合比などを種々変更して上記のショア硬度を有するように調整したポリ塩化ビニルやポリ酢酸ビニルなどのビニル系樹脂、ポリエチレン、ポリプロピレンなどのオレフィン系樹脂、エチレン−酢酸ビニル共重合樹脂などの共重合樹脂、これらの混合樹脂などで形成されている。これらの中では、硬質ないし半硬質の塩化ビニル樹脂が特に好ましく使用される。このように蓋部材２を巻き取ることができる程度のショアＡ硬度を有する熱可塑性樹脂で硬質もしくは半硬質樹脂部２ｄが形成されていると、蓋部材２を巻き取った状態で保管、輸送できる利点がある。
【００２６】
蓋部材２の天板部分を形成する軟質樹脂部２ｃと硬質もしくは半硬質樹脂部２ｄとの樹脂の種類の組合わせは、例えば、軟質の塩化ビニル樹脂と硬質もしくは半硬質の塩化ビニル樹脂、或いは、軟質の酢酸ビニル樹脂と硬質もしくは半硬質の塩化ビニル樹脂といったように、同一種類又は同一系統の樹脂同士の組合わせとすることが好ましい。天板部分が軟質樹脂部２ｃと硬質もしくは半硬質樹脂部２ｄからなる上記の蓋部材２は、例えば二色押出成形などの手段で軟質の熱可塑性樹脂と硬質ないし半硬質の熱可塑性樹脂を同時に押出すことによって連続成形されるが、その際、上記のような同一種類又は同一系統の樹脂同士の組合わせであると、軟質樹脂部２ｃと硬質もしくは半硬質樹脂部２ｄとの界面における樹脂同士の相溶性が良好であるため、双方の樹脂部２ｃ，２ｄを強固に接合一体化できる利点がある。
【００２７】
蓋部材２の左右の側縁部２ａ，２ａ及び凸部２ｂ，２ｂは、上記硬質もしくは半硬質樹脂部２ｄと同じ硬質もしくは半硬質の熱可塑性樹脂で一体に形成されており、また、天板部分の硬質もしくは半硬質樹脂部２ｄ，２ｄの裏面には、蓋部材２の天板部分の耐荷重強度を高める目的で、上記と同じ硬質もしくは半硬質樹脂からなる左右一対の支持脚２ｅ，２ｅが蓋部材２の長さ方向全長に亘って突設されている。この支持脚２ｅ，２ｅの高さ寸法（上下寸法）は左右の側縁部２ａ，２ａの高さ寸法よりも若干大きくなっており、図２の（ｂ）に示すように蓋部材２を溝部材１に取付けた状態では、支持脚２ｅ，２ｅの下端部が溝部材１の前記凹状部１ｈ，１ｈに嵌合して横方向の移動が阻止されるようになっている。従って、蓋部材２の天板部分に大きい荷重が作用しても、支持脚２ｅ，２ｅの下端部が溝部材１の内底面を横滑りして支持脚２ｅ，２ｅが上端の付け根部分で折れることがないので、蓋部材２の破壊防止効果が顕著である。
【００２８】
尚、２ｆは、蓋部材２の強度と意匠性を高めるために、軟質樹脂部２ｃの表面と硬質もしくは半硬質樹脂部２ｄ，２ｄの表面に蓋部材２の長さ方向全長に亘って形成された偏平なリブ部である。
【００２９】
溝部材１や蓋部材２の各部の寸法は特に限定されないが、好適な寸法を例示すると、溝部材１の幅が６０〜８０ｍｍ程度、底板部１ａの厚さが１〜３ｍｍ程度、側堤部１ｂの高さ（ドレン排水路１ｃの深さ）が２〜５ｍｍ程度、側堤部１ｂの相互間隔（ドレン排水路１ｃの幅）が４０〜５０ｍｍ程度、凹部１ｆの深さが１〜５ｍｍ程度、蓋部材２（天板部分）の幅が４０〜５０ｍｍ程度、蓋部材２の高さ（側縁部２ａの高さ）が２〜１０ｍｍ程度、蓋部材２の厚さが１〜５ｍｍ程度、凸部２ｂの突出寸法が１〜５ｍｍ程度である。
【００３０】
以上のような溝部材１と蓋部材２からなるドレン排水材は、例えば図３に示すように、屋外のベランダ等の床面３に溝部材１を接着剤等で貼付けて、その下流側端をベランダの排水溝３ａに臨ませ、溝部材１の上流側端部に取付けたドレンホース接続具４に、屋内や空調機等から引き出したドレンホース５の下端を差込み接続すると共に、溝部材１の上流側端部を除いた部分に蓋部材２を以下の要領で取付けることによって施工される。
【００３１】
即ち、このドレン排水材の蓋部材２は、そのままの形状では上方から溝部材１の上部開口に嵌め込んで取付けようとしても、溝部材１の左右の側堤部１ｂ，１ｂに形成された凹部１ｆ，１ｆに蓋部材２の左右の側縁部２ａ，２ａの対応する凸部２ｂ，２ｂを嵌合させることができないので、図２の（ａ）に示すように、蓋部材２を軟質樹脂部２ｃで略二等辺の三角山形に屈曲変形させて蓋部材２の幅寸法を縮小したまま、溝部材１の上部開口に上方から嵌め込む。そして、図２の（ｂ）に示すように蓋部材２の形状を復元させて幅寸法を元の幅寸法に戻すと、溝部材１の側堤部１ｂ，１ｂの凹部１ｆ，１ｆに蓋部材２の側縁部２ａ，２ａの対応する凸部２ｂ，２ｂが横方向（外向き）に嵌合され、蓋部材２が溝部材１に簡単に取付けられて、溝部材２の上部開口が蓋部材１で覆われる。このように溝部材１に取付けた蓋部材２によって溝部材１の上部開口が覆われた状態では、溝部材１の凹部１ｆ，１ｆに横方向に嵌合した蓋部材２の凸部２ｂ，２ｂが上下方向に移動できないため、蓋部材２に上向きの力が作用しても蓋部材２が溝部材１から簡単に外れることはない。そして、溝部材１を掃除する場合など、蓋部材２を取外す必要が生じたときには、蓋部材２を軟質樹脂部２ｃで略二等辺の三角山形に屈曲変形させて蓋部材２の幅寸法を縮小するだけで、蓋部材２の側縁部２ａ，２ａの凸部２ｂ，２ｂが溝部材１の側堤部１ｂ，１ｂの凹部１ｆ，１ｆから抜け出すため、蓋部材２を引き上げて溝部材１から簡単に取外すことができる。上記のように、このドレン排水材は溝部材１に蓋部材２を取付けた状態では蓋部材２が簡単に外れないにも拘わらず、蓋部材２を三角山形に屈曲変形させることによって溝部材１に対する蓋部材２の取付け・取外し作業を容易に行うことができるので、施工性やメンテナンス性が良好である。
【００３２】
また、上記のように溝部材１に蓋部材２を取付けて溝部材１の上部開口を蓋部材２で覆った状態では、硬質もしくは半硬質樹脂からなる支持脚２ｅ，２ｅによって蓋部材２の耐荷重強度が高められているため、蓋部材２の上に人の体重やその他の荷重がかかっても、蓋部材２の破壊を防止することができる。特に、このドレン排水材は、支持脚２ｅ，２ｅの下端部が溝部材１の内底面の凹状部１ｈ，１ｈに嵌合して横方向の移動が阻止されているため、前述したように、蓋部材２に大きい荷重が作用した場合でも、支持脚２ｅ，２ｅの下端部が溝部材１の内底面を横滑りして支持脚２ｅ，２ｅが上端の付け根部分で折れる心配がなくなり、蓋部材２の破壊をより確実に防止することができる。
【００３３】
尚、溝部材１の上流側端部に取付けられるドレンホース接続具４は、図４に示すように、天板部の中央にドレンホースを差込み接続する筒状の接続口４ｇを設けると共に、左右の側縁部４ａ，４ａの下部に凸部４ｂ，４ｂを外向きに突設し、ドレンホースの接続口４ｇの両側の天板部に、長さ方向に全長に亘って帯状に軟質樹脂部４ｃ，４ｃを設け、天板部の他の部分を硬質もしくは半硬質樹脂部４ｄ，４ｄ，４ｄとしたものである。このようなドレンホース接続具４は、軟質樹脂部４ｃ，４ｃで屈曲変形させ、凸部４ｂ，４ｂを溝部材１の左右の側堤部１ｂ，１ｂの凹部１ｆ，１ｆに嵌合させることによって溝部材１の上流側端部に取付けられるものである。更に、硬質もしくは半硬質樹脂からなる支持脚４ｅ，４ｅの下端部が溝部材１の内底面の凹状部１ｈ，１ｈに嵌合して横方向の移動が阻止されているため、支持脚４ｅ，４ｅが上端の付け根部分で折れる心配がなくなり、ドレンホース接続具４の破壊をより確実に防止することができる。
【００３４】
上記のようにドレン排水材とドレンホース接続具を用いて施工すると、屋内や空調機等で生じたドレン水がドレンホース５を流下して、ドレンホース接続具４の接続口４ｇからドレン排水材の溝部材１に流れ込み、排水量が多いときは溝部材１のドレン排水路１ｃを流れ、排水量が少ないときは溝部材１の内底面の小溝１ｇを流れて、溝部材１の下流側端からベランダの排水溝３ａへ排水される。
【００３５】
図１，図２に示す実施形態のドレン排水材は、溝部材１の左右の側堤部１ｂ，１ｂの内面に凹部１ｆ，１ｆを形成し、この凹部１ｆ，１ｆに対応する凸部２ｂ，２ｂを蓋部材２の左右の側縁部２ａ，２ａに突設しているが、これとは逆に、溝部材１の左右の側堤部１ｂ，１ｂの内面に凸部を形成し、この凸部に対応する凹部を蓋部材２の側縁部２ａ，２ａに形成して嵌合させるようにしてもよい。
【００３６】
また、図１，図２に示す実施形態のドレン排水材は、蓋部材２の天板部分の幅方向中央部に軟質樹脂部２ｃを一つだけ設け、その両側に硬質もしくは半硬質樹脂部２ｄ，２ｄを設けているが、天板部分に軟質樹脂部２ｃと硬質もしくは半硬質樹脂部２ｄを交互に複数ずつ設け、蓋部材２を軟質樹脂部２ｃで少しずつ曲げて蓋部材２全体を凸曲変形できるようにしてもよい。更に、図１，図２に示す実施形態のドレン排水材は、軟質樹脂部２ｃを蓋部材２の天板部分の厚み方向全体に亘って設けているが、軟質樹脂部２ｃを天板部分の厚み方向の途中まで埋め込んだ状態で設けるようにしてもよい。
【００３７】
図５は本発明の他の実施形態に係るドレン排水材の横断面図である。
【００３８】
このドレン排水材は、蓋部材２の左右の支持脚２ｅ，２ｅが、硬質もしくは半硬質樹脂部２ｄ，２ｄの軟質樹脂部２ｃ側の端部の裏面から突設されており、これに合わせて硬質もしくは半硬質樹脂部２ｄ，２ｄの表面のリブ部２ｆ，２ｆの位置も軟質樹脂部２ｃ側の端部に変更されている。そして、溝部材１の内底面（底板部１ａの側堤部１ｂ，１ｂ相互間の上面）には、前記の凹状部１ｈ，１ｈに代えて、支持脚２ｅ，２ｅの下端部と係合して該下端部の横方向の移動を阻止する凸状部１ｉ，１ｉが、支持脚２ｅ，２ｅの内側に位置して設けられている。その他の構成は、前述した図１，図２に示すドレン排水材と同様であるので、図５において同一部分に同一符号を付し、重複説明を省略する。
【００３９】
このドレン排水材も、前述した図１，図２に示すドレン排水材と同様に使用、施工され、同様の作用効果を奏することは言うまでもない。
【００４０】
図６は本発明の更に他の実施形態に係るドレン排水材の横断面図、図７は同ドレン排水材の蓋部材をヒンジ部で回動させると共に三角山形に変形させて溝部材の上部開口に嵌め込んだところを示す横断面図である。
【００４１】
このドレン排水材は、溝部材１の一方の側堤部１ｂ（図６，図７では右側の側堤部）の内側面１ｅの下部に、凹部１ｆが溝部材１の長さ方向全長に亘って形成されており、この凹部１ｆに対応合致する凸部２ｂが、蓋部材２の一方の側縁部２ａ（図６，図７では右側の側縁部）の下部から外向きに蓋部材２の長さ方向全長に亘って形成されている。そして、溝部材１の他方の側堤部１ｂと蓋部材２の他方の側縁部２ａ（図６，図７では左側の側堤部と側縁部）がヒンジ部１ｊを介して連結一体化されており、このヒンジ部１ｊを中心として蓋部材２が開閉自在となっている。このドレン排水材では、溝部材１や蓋部材２の硬質もしくは半硬質樹脂部２ｄと同じ硬質もしくは半硬質の熱可塑性樹脂で０．３〜０．５ｍｍ程度の厚みを有する薄肉のヒンジ部１ｊを形成しているが、前述した軟質樹脂部２ｃと同じ軟質の熱可塑性樹脂で比較的厚肉のヒンジ部を形成しても勿論よい。このドレン排水材の他の構成は、前述の図１，図２に示すドレン排水材と同様であるので、図６，図７において同一部分に同一符号を付し、重複説明を省略する。
【００４２】
尚、このドレン排水材において、溝部材１の一方の側堤部１ｂの内面１ｅに凸部を形成し、これに対応する凹部を蓋部材２の一方の側縁部２ａに突設してもよいことは勿論であり、また、蓋部材２の天板部分に軟質樹脂部２ｃと硬質もしくは半硬質樹脂部２ｄを交互に複数ずつ設け、蓋部材２を軟質樹脂部２ｃで少しずつ曲げて蓋部材２全体を凸曲変形できるようにしても勿論よい。そして、溝部材１の内底面に、凹状部１ｈ，１ｈに代えて、前述した凸状部１ｉ，１ｉを設けるようにしても勿論よい。
【００４３】
上記の蓋部材２が開閉するタイプのドレン排水材は、蓋部材２を変形させることなくヒンジ部１ｊで蓋部材２を下向きに回動させて溝部材１の上部開口を閉じようとしても、溝部材１の一方の側堤部１ｂの内側面に形成された凹部１ｆに蓋部材２の一方の側縁部２ａの対応する凸部２ｂを嵌合できないため、蓋部材２を開かないように閉じることはできないが、図７に示すように、蓋部材２を軟質樹脂部２ｃで略二等辺の三角山形に屈曲変形させて蓋部材２の幅寸法を縮小したまま、ヒンジ部１ｊで蓋部材２を下向きに回動させて溝部材１の上部開口に嵌め込み、図６に示すように、蓋部材２の形状を復元させて幅寸法を元の幅寸法に戻すと、溝部材１の一方の側堤部１ｂの凹部１ｆに蓋部材２の一方の側縁部２ａの対応する凸部２ｂが横方向（外向き）に嵌合して、蓋部材２が開かないように閉じられ、溝部材１の上部開口を蓋部材２で覆うことができる。このように蓋部材２によって溝部材１の上部開口が閉じられた状態では、溝部材１の一方の側堤部１ｂのに形成された凹部１ｆに蓋部材２の一方の側縁部の凸部２ｂが横方向に嵌合して上下方向に移動できないため、蓋部材２に上向きの力が作用しても蓋部材２が他方のヒンジ部１ｊで上向きに回動して簡単に開くことはない。そして、蓋部材２を開く必要が生じた場合は、蓋部材２を軟質樹脂部２ｃで三角山形に屈曲変形させて蓋部材２の幅寸法を縮小するだけで、蓋部材２の一方の側縁部２ａの凸部２ｂが溝部材１の一方の側堤部１ｂの凹部１ｆから抜け出すため、蓋部材２を他方のヒンジ部１ｊで上向きに回動させて簡単に開けることができる。上記のように、このドレン排水材も、蓋部材２を閉じて溝部材１の上部開口を覆った状態では蓋部材２が簡単に開かないにも拘わらず、蓋部材２を三角山形に屈曲変形させることによって蓋部材２の開閉作業を容易に行うことができるので、施工性やメンテナンス性が良好である。
【００４４】
そして、このドレン排水材も、硬質もしくは半硬質樹脂からなる支持脚２ｅ，２ｅによって蓋部材２の耐荷重強度が高められているため、蓋部材２の上に人の体重やその他の荷重がかかっても蓋部材２の破壊を防止することができ、また、支持脚２ｅ，２ｅの下端部が溝部材１の内底面の凹状部１ｈ，１ｈに嵌合して横方向の移動が阻止されているので、蓋部材１に大きい荷重が作用したときに支持脚２ｅ，２ｅの下端部が溝部材１の内底面を横滑りして支持脚２ｅ，２ｅが上端の付け根部分で折れる心配がなくなり、蓋部材２の破壊をより確実に防止することができる。
【００４５】
尚、このドレン排水材をベランダや廊下の床面に貼付けて、その上流側端部にドレンホースの下端を接続する場合は、前述したドレンホース接続具４を溝部材１の上流側端部に取付けることができないので、蓋部材２の上流側端部にホース接続口を直接切開し、該ホース接続口にドレンホースの下端を差し込んで接続する必要がある。
【図面の簡単な説明】
【００４６】
【図１】本発明の一実施形態に係るドレン排水材の分解部分斜視図である。
【図２】（ａ）は同ドレン排水材の蓋部材を三角山形に変形させて溝部材の上部開口に嵌め込んだところを示す横断面図、（ｂ）は蓋部材を溝部材の上部開口に取付けた同ドレン排水材の横断面図である。
【図３】同ドレン排水材の一使用例を示す斜視図である。
【図４】（ａ）は同使用例に用いられたドレンホース接続具の断面図、（ｂ）は同ドレンホース接続具の斜視図である。
【図５】本発明の他の実施形態に係るドレン排水材の横断面図である。
【図６】本発明の更に他の実施形態に係るドレン排水材の横断面図である。
【図７】同ドレン排水材の蓋部材をヒンジ部で回動させると共に三角山形に変形させて溝部材の上部開口に嵌め込んだところを示す横断面図である。
【符号の説明】
【００４７】
１    溝部材
１ａ  底板部
１ｂ  側堤部
１ｃ  ドレン排水路
１ｅ  側堤部の内側面
１ｆ  凹部
１ｈ  凹状部
１ｉ  凸状部
１ｊ  ヒンジ部
２    蓋部材
２ａ  側縁部
２ｂ  凸部
２ｃ  軟質樹脂部
２ｄ  硬質もしくは半硬質樹脂部
２ｅ  支持脚
【図１】
0005060337.tif 000002
【図２】
0005060337.tif 000003
【図３】
0005060337.tif 000004
【図４】
0005060337.tif 000005
【図５】
0005060337.tif 000006
【図６】
0005060337.tif 000007
【図７】
0005060337.tif 000008